(57)【要約】  本願は、報知チャネルのマッピング／検出方法、基地局及びユーザ装置を提供する。この方法は、第１の報知チャネルを少なくとも第１部分及び第２部分に分割する工程と、第１の報知チャネルの第１部分を該ＴＤＤモードの上りリンク−下りリンク設定を有するフレームに含まれる複数のサブフレームのうちの第２のサブフレーム上にマッピングし、第１の報知チャネルの第２部分を前記複数のサブフレームのうちの第７のサブフレーム上にマッピングする工程を含み、前記第２のサブフレームはスペシャルサブフレームであり、前記第７のサブフレームはスペシャルサブフレーム又は下りリンクサブフレームである。この方法によれば、ＦＤＤモードのＮＢ−ＩｏＴシステムの報知チャネルの信号系列設計を流用し、ＴＤＤモードのＮＢ−ＩｏＴの上りリンク−下りリンク設定を変更することなく、スペシャルサブフレームによって前記報知チャネルをマッピングできる。
2019525623.tif 000002
【特許請求の範囲】
【請求項１】
時間分割複信（ＴＤＤ）モードの基地局において第１の報知チャネルをマッピングするための方法であって、
第１の報知チャネルを少なくとも第１部分及び第２部分に分割する工程と、
第１の報知チャネルの第１部分を、該ＴＤＤモードの上りリンク−下りリンク設定を有するフレームに含まれる複数のサブフレームのうちの第２のサブフレーム上にマッピングし、さらに、第１の報知チャネルの第２部分を前記複数のサブフレームのうちの第７のサブフレーム上にマッピングする工程と、を含み、
前記第２のサブフレームはスペシャルサブフレームであり、前記第７のサブフレームはスペシャルサブフレーム又は下りリンクサブフレームである、方法。
【請求項２】
第２の報知チャネル及び第３の報知チャネルを、それぞれ前記複数のサブフレームのうちの第１のサブフレーム及び第６のサブフレーム上にマッピングする工程、をさらに含む、請求項１に記載の方法。
【請求項３】
前記第１の報知チャネル、前記第２の報知チャネル及び前記第３の報知チャネルは、それぞれプライマリ同期信号、セカンダリ同期信号及び物理報知チャネルの中の一つである、請求項２に記載の方法。
【請求項４】
時間分割複信（ＴＤＤ）モードの基地局であって、
第１の報知チャネルを少なくとも第１部分及び第２部分に分割するように配置される分割部と、
第１の報知チャネルの第１部分を、該ＴＤＤモードの上りリンク−下りリンク設定を有するフレームに含まれる複数のサブフレームのうちの第２のサブフレーム上にマッピングし、さらに、第１の報知チャネルの第２部分を前記複数のサブフレームのうちの第７のサブフレーム上にマッピングするように配置されるチャネルマッピング部と、を備え、
前記第２のサブフレームはスペシャルサブフレームであり、前記第７のサブフレームはスペシャルサブフレーム又は下りリンクサブフレームである、基地局。
【請求項５】
前記チャネルマッピング部は、第２の報知チャネル及び第３の報知チャネルを、それぞれ前記複数のサブフレームのうちの第１のサブフレーム及び第６のサブフレーム上にマッピングするようにさらに配置される、請求項４に記載の基地局。
【請求項６】
前記第１の報知チャネル、前記第２の報知チャネル及び前記第３の報知チャネルは、それぞれプライマリ同期信号、セカンダリ同期信号及び物理報知チャネルの中の一つである、請求項５に記載の基地局。
【請求項７】
時間分割複信（ＴＤＤ）モードのユーザ装置において第１の報知チャネルを検出するための方法であって、
該ＴＤＤモードの上りリンク−下りリンク設定を有する少なくとも一つのフレームに含まれる複数のサブフレームを受信する工程と、
前記複数のサブフレームのうちの第２のサブフレーム及び第７のサブフレームの少なくとも一つに基づき、第１の報知チャネルを検出する工程と、を含む、方法。
【請求項８】
前記複数のサブフレームのうちの第１のサブフレームに基づき、第２の報知チャネルを検出する工程と、
前記複数のサブフレームのうちの第６のサブフレームに基づき、第３の報知チャネルを検出する工程と、をさらに含む、請求項７に記載の方法。
【請求項９】
前記第１の報知チャネルは物理報知チャネルであり、前記第２の報知チャネル及び前記第３の報知チャネルは、それぞれプライマリ同期信号及びセカンダリ同期信号の中の一つである、請求項８に記載の方法。
【請求項１０】
前記複数のサブフレームのうちの第２のサブフレーム及び第７のサブフレームの少なくとも一つに基づき、第１の報知チャネルを検出する工程は、
前記第２のサブフレーム内にマッピングされたデータに基づき、前記物理報知チャネルを検出する工程と、
前記第２のサブフレーム内にマッピングされたデータに基づいて前記物理報知チャネルが検出されていない場合、前記第２のサブフレーム及び前記第７のサブフレーム内にマッピングされたデータに基づき、前記物理報知チャネルを検出する工程と、を含む、請求項９に記載の方法。
【請求項１１】
前記第１の報知チャネルは、プライマリ同期信号及びセカンダリ同期信号の中の一つである、請求項８に記載の方法。
【請求項１２】
前記複数のサブフレームのうちの第２のサブフレーム及び第７のサブフレームの少なくとも一つに基づき、第１の報知チャネルを検出する工程は、
前記第２のサブフレーム及び第７のサブフレーム内にマッピングされたデータを組合せて、組合せデータ系列を生成する工程と、
前記組合せデータ系列に基づき、前記第１の報知チャネルを検出する工程と、を含む、請求項１１に記載の方法。
【請求項１３】
時間分割複信（ＴＤＤ）モードのユーザ装置であって、
ＴＤＤモードの上りリンク−下りリンク設定を有する少なくとも一つのフレームに含まれる複数のサブフレームを受信するように配置される受信部と、
前記複数のサブフレームのうちの第２のサブフレーム及び第７のサブフレームの少なくとも一つに基づき、第１の報知チャネルを検出するように配置される検出部と、を備える、ユーザ装置。
【請求項１４】
前記検出部は、前記複数のサブフレームのうちの第１のサブフレームに基づき、第２の報知チャネルを検出し、さらに、前記複数のサブフレームのうちの第６のサブフレームに基づき、第３の報知チャネルを検出するようにさらに配置される、請求項１３に記載のユーザ装置。
【請求項１５】
前記第１の報知チャネルは物理報知チャネルであり、前記第２の報知チャネル及び前記第３の報知チャネルは、それぞれプライマリ同期信号及びセカンダリ同期信号の中の一つである、請求項１４に記載のユーザ装置。
【請求項１６】
前記検出部は、前記第２のサブフレーム内にマッピングされたデータに基づき、前記物理報知チャネルを検出し、さらに、前記第２のサブフレーム内にマッピングされたデータに基づいて前記物理報知チャネルが検出されていない場合、前記第２のサブフレーム及び前記第７のサブフレーム内にマッピングされたデータに基づき、前記物理報知チャネルを検出するように配置される、請求項１５に記載のユーザ装置。
【請求項１７】
前記第１の報知チャネルは、プライマリ同期信号及びセカンダリ同期信号の中の一つである、請求項１４に記載のユーザ装置。
【請求項１８】
前記検出部は、前記第２のサブフレーム及び第７のサブフレーム内にマッピングされたデータを組合せて、組合せデータ系列を生成し、さらに、前記組合せデータ系列に基づき、前記第１の報知チャネルを検出するように配置される、請求項１７に記載のユーザ装置。
【発明の詳細な説明】
【技術分野】
【０００１】
本開示は、移動通信分野に関し、より具体的には、時間分割複信（ＴＤＤ）モードの基地局において報知チャネルをマッピングする方法、ＴＤＤモードのユーザ装置において報知チャネルを検出する方法、及び前記基地局並びにユーザ装置に関する。
【背景技術】
【０００２】
近年、狭帯域のモノのインターネット（Ｎａｒｒｏｗ  Ｂａｎｄ  Ｉｎｔｅｒｎｅｔ  ｏｆ  Ｔｈｉｎｇｓ、ＮＢ−ＩｏＴ）が検討されている。ＮＢ−ＩｏＴは、レガシー無線通信ネットワーク技術に基づき、１８０ＫＨｚ程度の狭い周波数帯域を使用して情報を送受信する。ＮＢ−ＩｏＴシステムにおいて、周波数分割複信（ＦＤＤ）と時間分割複信（ＴＤＤ）との二種類の二重モードを使用することができる。ＦＤＤモードでは、上りリンクの伝送及び下りリンクの伝送は異なる周波数で行う。一方、ＴＤＤモードでは、上りリンク及び下りリンクの伝送は、異なる時間で行う。
【０００３】
ＮＢ−ＩｏＴにおいて、セル内のユーザ装置がセルサーチを行ってセルにアタッチするために、基地局は、下りリンクにおいて報知チャネルをフレーム（具体的には、フレーム内のサブフレーム）にマッピングしてユーザ装置に送信する。前記報知チャネルは、下りリンクの同期に用いるプライマリ同期信号（ＰＳＳ）及びセカンダリ同期信号（ＳＳＳ）と、システム情報を伝送するための物理報知チャネル（ＰＢＣＨ）を含む。ユーザ装置は、前記報知チャネルを検出し、これによってセルサーチ及びセルアタッチを行う。
【０００４】
ＦＤＤモードのＮＢ−ＩｏＴシステムにおいて、フレーム毎に１０個のサブフレームを含み、サブフレーム＃０〜サブフレーム＃９と表すことができる。ＰＳＳは、各フレームの第６のサブフレーム（サブフレーム＃５）上にマッピングされ、よってフレーム毎に（即ち、１０ｍｓ毎に）一度送信される。ＳＳＳは、１フレームおきに次のフレームにおける第１０のサブフレーム（サブフレーム＃９）上にマッピングされ、よって１フレームおきに（即ち、２０ｍｓ毎に）一度送信される。ＰＢＣＨは、八つの独立に復号化可能なブロックに分けることができ、それぞれのフレームの第１のサブフレーム（サブフレーム＃０）上に一つの独立に復号化可能なブロックをマッピングすることができる。よって、これらの八つの独立に復号化可能なブロックの中の一つまたは複数に基づき、ＰＢＣＨを検出することができる。
【発明の概要】
【発明が解決しようとする課題】
【０００５】
しかしながら、ＴＤＤモードのＮＢ−ＩｏＴシステムにおいて、上述報知チャネルをどのようにマッピングするかについては、まだ検討されていない。従って、ＴＤＤモードのＮＢ−ＩｏＴシステムにおいて報知チャネルをマッピングする方法、及び対応する報知チャネルを検出する方法が必要である。
【課題を解決するための手段】
【０００６】
本開示の一実施例によれば、時間分割複信（ＴＤＤ）モードの基地局において第１の報知チャネルをマッピングするための方法であって、第１の報知チャネルを少なくとも第１部分と第２部分に分割する工程と、第１の報知チャネルの第１部分を該ＴＤＤモードの上りリンク−下りリンク設定を有するフレームに含まれる複数のサブフレームのうちの第２のサブフレーム上にマッピングし、さらに、第１の報知チャネルの第２部分を前記複数のサブフレームのうちの第７のサブフレーム上にマッピングする工程と、を含む方法を提供する。ここで、前記第２のサブフレームはスペシャルサブフレームであり、前記第７のサブフレームはスペシャルサブフレームまたは下りリンクサブフレームである。
【０００７】
該実施例による方法は、第２の報知チャネル及び第３の報知チャネルを、それぞれ前記複数のサブフレームのうちの第１のサブフレーム及び第６のサブフレーム上にマッピングする工程をさらに含んでもよい。
【０００８】
該実施例による方法では、前記第１の報知チャネル、前記第２の報知チャネル及び前記第３の報知チャネルは、それぞれプライマリ同期信号、セカンダリ同期信号及び物理報知チャネルの中の一つであってもよい。
【０００９】
本開示に係る他の一実施例によれば、時間分割複信（ＴＤＤ）モードの基地局であって、第１の報知チャネルを少なくとも第１部分及び第２部分に分割するように配置される分割部と、第１の報知チャネルを該ＴＤＤモードの上りリンク−下りリンク設定を有するフレームに含まれる複数のサブフレームのうちの第２のサブフレーム上にマッピングし、さらに、第１の報知チャネルの第２部分を前記複数のサブフレームのうちの第７のサブフレーム上にマッピングするように配置されるチャネルマッピング部と、を備える基地局を提供する。ここで、前記第２のサブフレームはスペシャルサブフレームであり、前記第７のサブフレームはスペシャルサブフレームまたは下りリンクサブフレームである。
【００１０】
該実施例に係る基地局において、前記チャネルマッピング部は、さらに、第２の報知チャネル及び第３の報知チャネルを、それぞれ前記複数のサブフレームのうちの第１のサブフレーム及び第６のサブフレーム上にマッピングするように配置されてもよい。
【００１１】
該実施例に係る基地局において、前記第１の報知チャネル、前記第２の報知チャネル及び前記第３の報知チャネルは、それぞれプライマリ同期信号、セカンダリ同期信号及び物理報知チャネルの中の一つであってもよい。
【００１２】
本開示の他の一実施例によれば、時間分割複信（ＴＤＤ）モードのユーザ装置において第１の報知チャネルを検出する方法であって、該ＴＤＤモードの上りリンク−下りリンク設定を有する少なくとも一つのフレームに含まれる複数のサブフレームを受信する工程と、前記複数のサブフレームのうちの第２のサブフレーム及び第７のサブフレームの少なくとも一つに基づき、第１の報知チャネルを検出する工程と、を含む方法を提供する。
【００１３】
該実施例に係る方法は、前記複数のサブフレームのうちの第１のサブフレームに基づき、第２の報知チャネルを検出する工程と、前記複数のサブフレームのうちの第６のサブフレームに基づき、第３の報知チャネルを検出する工程と、をさらに含んでもよい。
【００１４】
該実施例に係る方法では、前記第１の報知チャネルは、物理報知チャネルであり、前記第２の報知チャネル及び前記第３の報知チャネルは、それぞれプライマリ同期信号及びセカンダリ同期信号の中の一つであってもよい。
【００１５】
該実施例に係る方法では、前記複数のサブフレームのうちの第２のサブフレーム及び第７のサブフレームの少なくとも一つに基づき、第１の報知チャネルを検出する工程は、前記第２のサブフレーム内にマッピングされたデータに基づき、前記物理報知チャネルを検出する工程と、前記第２のサブフレーム内にマッピングされたデータに基づき、前記物理報知チャネルが検出されていない場合、前記第２のサブフレーム及び前記第７のサブフレーム内にマッピングされたデータに基づき、前記物理報知チャネルを検出する工程と、を含んでもよい。
【００１６】
該実施例に係る方法では、前記第１の報知チャネルは、プライマリ同期信号及びセカンダリ同期信号の中の一つであってもよい。
【００１７】
該実施例に係る方法では、前記複数のサブフレームのうちの第２のサブフレーム及び第７のサブフレームの少なくとも一つに基づき、第１の報知チャネルを検出する工程は、前記第２のサブフレーム及び第７のサブフレーム内にマッピングされたデータを組合せて、組合せデータ系列を生成する工程と、前記組合せデータ系列に基づき、前記第１の報知チャネルを検出する工程と、を含んでもよい。
【００１８】
本開示に係る他の一実施例によれば、時間分割複信（ＴＤＤ）モードのユーザ装置であって、ＴＤＤモードの上りリンク−下りリンク設定を有する少なくとも一つのフレームに含まれる複数のサブフレームを受信するように配置される受信部と、前記複数のサブフレームのうちの第２のサブフレーム及び第７のサブフレームの少なくとも一つに基づき、第１の報知チャネルを検出するように配置される検出部と、を備えるユーザ装置を提供する。
【００１９】
該実施例に係るユーザ装置では、前記検出部は、さらに、前記複数のサブフレームのうちの第１のサブフレームに基づき、第２の報知チャネルを検出し、さらに、前記複数のサブフレームのうちの第６のサブフレームに基づき、第３の報知チャネルを検出するように配置されてもよい。
【００２０】
該実施例に係るユーザ装置では、前記第１の報知チャネルは、物理報知チャネルであり、前記第２の報知チャネル及び前記第３の報知チャネルは、それぞれプライマリ同期信号及びセカンダリ同期信号の中の一つであってもよい。
【００２１】
該実施例に係るユーザ装置では、前記検出部は、前記第２のサブフレーム内にマッピングされるデータに基づき、前記物理報知チャネルを検出し、前記第２のサブフレーム内にマッピングされるデータに基づき、前記物理報知チャネルが検出されていない場合、前記第２のサブフレーム及び前記第７のサブフレーム内にマッピングされるデータに基づき、前記物理報知チャネルを検出するように配置されてもよい。
【００２２】
該実施例に係るユーザ装置では、前記第１の報知チャネルは、プライマリ同期信号及びセカンダリ同期信号の中の一つであってもよい。
【００２３】
該実施例に係るユーザ装置では、前記検出部は、前記第２のサブフレーム及び第７のサブフレーム内にマッピングされるデータを組合せて、組合せデータ系列を生成し、さらに、前記組合せデータ系列に基づき、前記第１の報知チャネルを検出するように配置されてもよい。
【図面の簡単な説明】
【００２４】
図面を参照しながら本発明の実施例をさらに詳細に説明することで、本発明の上記および他の目的、特徴、および長所がより明らかになる。図面は、本発明の実施例に対する更なる理解を提供するものであり、明細書の一部となり、本発明の実施例とともに本開示を解釈するために用いられるが、本開示を限定するものではない。図面において、同じ参照符号は、通常、同一の部品やステップを示す。
【図１】本開示実施例を適用できるＮＢ−ＩｏＴシステムの概念図である。
【図２】本開示実施例に係る時間分割複信（ＴＤＤ）モードの基地局において報知チャネルをマッピングするための方法を図示するフローチャートである。
【図３】報知チャネルをマッピングする第１の例示を示す概念図である。
【図４】報知チャネルをマッピングする第２の例示を示す概念図である。
【図５】報知チャネルをマッピングする第３の例示を示す概念図である。
【図６】本開示実施例に係るＴＤＤモードの基地局を図示するブロック図である。
【図７】本開示実施例に係るＴＤＤモードのユーザ装置において報知チャネルを検出するための方法を図示するフローチャートである。
【図８】本開示実施例に係るＴＤＤモードのユーザ装置を図示するブロック図である。
【発明を実施するための形態】
【００２５】
本発明の目的、技術案、長所をより明確にするために、以下、図面を参照しながら本開示に係る例示的な実施例を詳細に説明する。説明する実施例は、本開示の一部の実施例に過ぎず、本開示の全ての実施例ではないことは、明らかである。なお、本開示は、ここで説明する例示的な実施例に制限されないことは、理解されるべきである。当業者は、開示された本開示の実施例に基づき、創造性の労働をせずに容易に成し遂げることができる全ての他の実施例は、本開示の保護範囲に属する。
【００２６】
図１は、本開示実施例を適用するＮＢ−ＩｏＴシステムの概念図を示す。図１に示すように、該ＮＢ−ＩｏＴシステムは、基地局１０及びユーザ装置２０を備える。基地局１０は、ユーザ装置２０へ報知メッセージを送信し、ユーザ装置２０は、該報知メッセージを受信して検出し、さらに、対応するセルサーチ及びアタッチを実行する。該システムにおいて、基地局１０とユーザ装置２０は、例えば、１８０ＫＨｚの周波数帯域を使用して通信する。
【００２７】
ＦＤＤモードのＮＢ−ＩｏＴシステムにおいて、プライマリ同期信号（ＰＳＳ）は、Ｚａｄｏｆｆ−Ｃｈｕ系列に基づいて生成されることができる。例えば、基礎系列とマスク系列を掛け算することによりＰＳＳを生成することができる。ここで、前記基礎系列は、長さが１１のＺａｄｏｆｆ−Ｃｈｕ系列であり、ルート系列インデックスは５であってもよい。前記マスク系列は、例えば長さが１１の［１，１，１，１，−１，−１，１，１，１，−１，１］系列或いはそのうちそれぞれの要素がその他の値を有する系列であってもよい。
【００２８】
セカンダリ同期信号（ＳＳＳ）は、バイナリスクランブリング系列を利用して長さ１３１の周波数領域Ｚａｄｏｆｆ−Ｃｈｕ系列に対してスクランブリングして生成される系列であってもよい。また、ＰＢＣＨについては、八つの独立に復号化可能なブロックが生成され、よって何れかの独立に復号化可能なブロックに対して復号化することにより、或いは、これらの八つのブロックにおける二つまたはより多くのブロックを組合せて復号化することにより、該ＰＢＣＨを検出することができる。また、ＦＤＤモードのＮＢ−ＩｏＴシステムにおいて、ＰＳＳをそれぞれのフレームの第６のサブフレーム（サブフレーム＃５）にマッピングする。ＳＳＳを１フレームおきに次のフレームの第１０のサブフレーム（サブフレーム＃９）にマッピングし、さらに、各フレームの第１のサブフレーム（サブフレーム＃０）にＰＢＣＨの一つの独立に復号化可能なブロックをマッピングする。ＦＤＤモードのＮＢ−ＩｏＴシステムにおいて、ＰＳＳ、ＳＳＳ及びＰＢＣＨを生成及びマッピングする方法は、当該分野では周知であるため、ここではその説明を省略する。
【００２９】
ＴＤＤモードのＮＢ−ＩｏＴシステムにおいて、各フレームについて、表１に示すように、７種類の上りリンク−下りリンク設定、すなわち、７種類のフレーム構成を設定する。
【表１】
2019525623.tif 000003
【００３０】
表１に示すように、それぞれの種類の上りリンク−下りリンク設定は、三つのサブフレーム、即ち上りリンクサブフレーム（Ｕで表す）、下りリンクサブフレーム（Ｄで表す）、及びスペシャルサブフレーム（Ｓで表す）を含む。これらの７種類の配置において、上りリンクサブフレームおよび下りリンクサブフレームの比率は異なる。例えば、配置０において、２つのサブフレームは下りリンクサブフレームに割当てられ、６つのサブフレームは上りリンクサブフレームに割当てられる。配置１において、４つのサブフレームは下りリンクサブフレームに割当てられ、４つのサブフレームは上りリンクサブフレームに割当てられる。基地局とユーザ装置の間では、上りリンクおよび下りリンクのトラフィックなどのような様々な要因に従って、上述７種類の配置のうち一つを選択することができる。これらの７種類の配置について、サブフレーム＃０及びサブフレーム＃５はいずれも下りリンクサブフレームに割当てられ、サブフレーム＃１はいずれもスペシャルサブフレームに割当てられ、サブフレーム６はスペシャルサブフレームまたは下りリンクサブフレームに割当てられる。
【００３１】
前記スペシャルサブフレームは、下りリンクパイロットスロット（ＤｗＰＴＳ）、上りリンクパイロットスロット（ＵｐＰＴＳ）及びガード区間（ＧＰ）を含むことができる。スペシャルサブフレームは、表２に示す９種類の配置がある。
【表２】
2019525623.tif 000004
【００３２】
表２には、「Ｄ」は下りリンクパイロットスロットを表し、下りリンク伝送に用いられる。「Ｇ」はガード区間を表す。「Ｕ」は上りリンクパイロットスロットを表し、上りリンク伝送に用いられる。表２から分かるように、配置０及び５以外の配置において、それぞれのスペシャルサブフレームはいずれも少なくとも６つの下りリンク伝送に利用可能なＯＦＤＭシンボルを含む。
【００３３】
ＴＤＤモードのＮＢ−ＩｏＴシステムにおいて使用される報知チャネル（ＰＳＳ、ＳＳＳ、ＰＢＣＨ）は、ＦＤＤモードのＮＢ−ＩｏＴシステムと同じ信号系列設計を有してもよい。しかしながら、上述したように、ＴＤＤモードのＮＢ−ＩｏＴシステムにおいて、これらの報知チャネルをどのようにマッピングするかについてはまだ検討されていない。ＦＤＤモードのＮＢ−ＩｏＴシステムの報知チャネルマッピング方式を流用すると、ＴＤＤモードのＮＢ−ＩｏＴシステムの上りリンク−下りリンク設定０において、第１０のサブフレームは下りリンク用ではなく上りリンク用に割当てられるため、下りリンクのＳＳＳを該第１０のサブフレームにマッピングすることができない。言い換えると、ＴＤＤモードのＮＢ−ＩｏＴシステムにおいて、ＦＤＤモードのＮＢ−ＩｏＴシステムと同じ報知チャネルマッピング方式を使用することができない。
【００３４】
しかしながら、本発明者は、ＴＤＤモードのＮＢ−ＩｏＴシステムの上記７種類の上りリンク−下りリンク設定において、第２のサブフレーム（サブフレーム＃１）はいずれもスペシャルサブフレームに割当てられ、第７のサブフレーム（サブフレーム＃６）は、スペシャルサブフレームに割当てられるか、または下りリンクサブフレームに割当てられる。スペシャルサブフレームは、下りリンク伝送用のＯＦＤＭシンボルを含むことができるため（表２に示す）、第２のサブフレーム及び第７のサブフレームを下りリンクの報知チャネルの伝送に利用することができることに注目した。この発見に基づき、本開示実施例に係る報知チャネルをマッピングする方法が提案され、該方法は、ＮＢ−ＩｏＴシステム、特にＴＤＤモードのＮＢ−ＩｏＴシステムに利用されることができる。但し、これに制限されない。該方法は、ＮＢ−ＩｏＴシステム以外のその他の通信システムに利用されてもよい。
【００３５】
以下、図面を参照しながら本発明実施例に係る報知チャネルをマッピングする方法、報知チャネルを検出する方法、及び対応する基地局並びにユーザ装置を説明する。
まず、図２を参照しながら本開示実施例に係る報知チャネルをマッピングする方法を説明する。以下、説明の便宜上、前記報知チャネルを第１の報知チャネルと称する。注意すべきは、ここと以下で使用される「第１」、「第２」及び「第３」などの用語は、対応する対象を識別することだけを目的としており、それぞれの対象間の順番または優先度を説明するためのものではない。
【００３６】
図２を参照する。ステップＳ１０１では、第１の報知チャネルを少なくとも第１部分及び第２部分に分割する。具体的には、第１の報知チャネルの第１部分は多くても６つ以下のＯＦＤＭシンボルにマッピングされ、かつ、前記第１の報知チャネルの第２部分も多くても６つ以下のＯＦＤＭシンボルにマッピングすることができるように、前記第１の報知チャネルを分割することができる。このようにすれば、前記第１部分及び前記第２部分を、表２に示す配置１−４及び６−８のうち一つの配置を有するスペシャルサブフレームにマッピングすることを確保することができる。
【００３７】
次に、ステップＳ１０２では、第１の報知チャネルの第１部分を、該ＴＤＤモードの上りリンク−下りリンク設定を有するフレームに含まれる複数のサブフレームのうちの第２のサブフレーム上にマッピングし、さらに、第１の報知チャネルの第２部分を、前記複数のサブフレームのうちの第７のサブフレーム上にマッピングし、前記第２のサブフレームはスペシャルサブフレームであり、前記第７のサブフレームはスペシャルサブフレームまたは下りリンクサブフレームである。前記ＴＤＤモードの上りリンク−下りリンク設定は、例えば、表１に示され、本実施例では、前記複数のサブフレームは１０個のサブフレームである。
【００３８】
具体的には、上述したように、表１に示す上りリンク−下りリンク設定０−６については、第２のサブフレームはいずれも下りリンクサブフレームに割当てられるため、前記フレームは上りリンク−下りリンク設定０−６のうち一つの配置を有すると、第１の報知チャネルの第１部分を第２のサブフレーム上にマッピングすることができる。また、表１に示す上りリンク−下りリンク設定３−５について、第７のサブフレームは下りリンクサブフレームに割当てられるため、前記フレームは上りリンク−下りリンク設定３−５のうち一つの配置を有すると、第１の報知チャネルの第２部分を該第７のサブフレームにマッピングすることができる。表１に示す上りリンク−下りリンク設定０、１、２、６について、その第７のサブフレームはスペシャルサブフレームに割当てられるが、上述したように、該スペシャルサブフレームの配置１−４及び６−８は、いずれも少なくとも６つの下りリンク伝送に利用可能なＯＦＤＭシンボルを含むため、前記フレームは上りリンク−下りリンク設定０、１、２、６のうち一つの配置を有すると、第７のサブフレームを表２に示す配置１−４及び６−８のうち一つの配置を有するように設定し、さらに、第１の報知チャネルの第２部分を該フレームの第７のサブフレームにマッピングすることができる。
【００３９】
第１の報知チャネルをマッピングする他、第２の報知チャネル及び第３の報知チャネルを、それぞれ前記フレームに含まれる複数のサブフレームのうちの第１のサブフレーム及び第６のサブフレーム上にマッピングすることができる。表１から分かるように、いずれの上りリンク−下りリンク設定において、第１のサブフレーム及び第６のサブフレームはいずれも下りリンクサブフレームに割当てられるため、第２の報知チャネル及び第３の報知チャネルをそれぞれこの二つのサブフレームにマッピングすることができる。
【００４０】
以下、具体的な例示で上述本発明実施例に係る報知チャネルをマッピングする方法を説明する。
第１の例示では、前記第１の報知チャネルはＰＳＳであり、前記第２の報知チャネル及び前記第３の報知チャネルは、それぞれＳＳＳ及びＰＢＣＨの中の一つであり、即ち、前記第２の報知チャネルはＳＳＳでありかつ前記第３の報知チャネルはＰＢＣＨであり、あるいは、前記第２の報知チャネルはＰＢＣＨでありかつ前記第３の報知チャネルはＳＳＳである。上述したように、ＰＳＳ及びＳＳＳは、ＦＤＤモードのＮＢ−ＩｏＴシステムと同じ信号系列設計を利用することができ、また、ＰＢＣＨについては、ＦＤＤモードのＮＢ−ＩｏＴシステムと同じ方式に従って八つの独立に復号化可能なブロックを生成することができる。該例示では、ＰＳＳ系列の第１部分を、例えば、表１に示す各上りリンク−下りリンク設定のうち一つの配置を有するフレームに含まれる１０個のサブフレームのうちの第２のサブフレーム上にマッピングし、さらに、ＰＳＳ系列の第２部分を該フレームに含まれる１０個のサブフレームのうちの第７のサブフレーム上にマッピングするように、ＰＳＳ系列を二つの部分に分けることができる。また、ＳＳＳ及びＰＢＣＨのうち一方を該フレームの第１のサブフレームにマッピングし、さらに、ＳＳＳ及びＰＢＣＨのうち他方を該フレームに含まれる１０個のサブフレームのうちの第６のサブフレームにマッピングすることができる。ＰＢＣＨをマッピングする際に、例えば、該ＰＢＣＨを第６のサブフレームにマッピングする場合、該ＰＢＣＨの一つの独立に復号化可能なブロックを該フレームの第６のサブフレームにマッピングし、該ＰＢＣＨの残りの７つの独立に復号化可能なブロックを順次、後続する７つのフレームの第６のサブフレームにマッピングすることができる。
【００４１】
図３は、報知チャネルをマッピングする上記第１実施例を示す。該実施例において、ＰＳＳは、二つの部分に分けられ、それぞれフレームの第２のサブフレーム及び第７のサブフレーム上にマッピングされる。ここで、マスク系列の先頭の６つの要素は第２のサブフレームに用いられ、後ろの５つの要素は第７のサブフレームに用いられる。その他実施例において、マスク系列の先頭の５つの要素は第２のサブフレームに用いられ、後ろの６つの要素は第７のサブフレームに用いられる。また、ＰＢＣＨ（具体的には、その一つの独立に復号化可能なブロック）は、フレームの第１のサブフレーム上にマッピングされ、ＳＳＳは、フレームの第６のサブフレーム上にマッピングされる。
【００４２】
第２の例示では、前記第１の報知チャネルはＳＳＳであり、前記第２の報知チャネル及び前記第３の報知チャネルは、それぞれＰＳＳ及びＰＢＣＨの中の一つである。即ち、前記第２の報知チャネルはＰＳＳでありかつ前記第３の報知チャネルはＰＢＣＨであり、あるいは、前記第２の報知チャネルはＰＢＣＨでありかつ前記第３の報知チャネルはＰＳＳである。上述したように、ＰＳＳ及びＳＳＳは、ＦＤＤモードのＮＢ−ＩｏＴシステムと同じ信号系列設計を利用することができる。また、ＰＢＣＨについて、ＦＤＤモードのＮＢ−ＩｏＴシステムと同じ方式に従って八つの独立に復号化可能なブロックを生成することができる。該例示において、ＳＳＳ系列の第１部分を、例えば、表１に示す各上りリンク−下りリンク設定のうち一つの配置を有するフレームに含まれる１０個のサブフレームのうちの第２のサブフレーム上にマッピングし、さらに、ＳＳＳ系列の第２部分を該フレームの第７のサブフレーム上にマッピングするように、ＳＳＳ系列を二つの部分に分けることができる。また、ＰＳＳ及びＰＢＣＨのうち一方を該フレームの第１のサブフレームにマッピングし、さらに、ＰＳＳ及びＰＢＣＨのうち他方を該フレームの第６のサブフレームにマッピングすることができる。ＰＢＣＨをマッピングする際に、例えば、該ＰＢＣＨを第６のサブフレームにマッピングする場合、該ＰＢＣＨの一つの独立に復号化可能なブロックを該フレームの第６のサブフレームにマッピングし、該ＰＢＣＨの残りの７つの独立に復号化可能なブロックを順次、後続する７つのフレームの第６のサブフレームにマッピングすることができる。
【００４３】
図４は、報知チャネルをマッピングする上記第２実施例を示す。該実施例において、ＳＳＳは二つの部分に分けられ、それぞれフレームの第２のサブフレーム及び第７のサブフレーム上にマッピングされる。また、ＰＢＣＨ（具体的には、その一つの独立に復号化可能なブロック）は、フレームの第１のサブフレーム上にマッピングされ、ＰＳＳはフレームの第６のサブフレーム上にマッピングされる。
【００４４】
第３の例示において、前記第１の報知チャネルはＰＢＣＨであり、前記第２の報知チャネル及び前記第３の報知チャネルは、それぞれＰＳＳ及びＳＳＳの中の一つである。即ち、前記第２の報知チャネルはＰＳＳでありかつ前記第３の報知チャネルはＳＳＳであり、あるいは、前記第２の報知チャネルはＳＳＳでありかつ前記第３の報知チャネルはＰＳＳである。該例示において、ＰＳＳ及びＳＳＳは、ＦＤＤモードのＮＢ−ＩｏＴシステムと同じ信号系列設計を利用することができる。また、ＰＢＣＨについて、ＦＤＤモードのＮＢ−ＩｏＴシステムと同じ方式に従って１６個の独立に復号化可能なブロックを生成し、さらに、１番目の独立に復号化可能なブロックを第１部分として、例えば、表１に示すそれぞれの上りリンク−下りリンク設定のうち一つの配置を有するフレームに含まれる１０個のサブフレームのうちの第２のサブフレーム上にマッピングし、ＰＢＣＨの２番目の独立に復号化可能なブロックを第２部分として、前記フレームに含まれる１０個のサブフレームのうちの第７のサブフレームにマッピングすることができる。ＰＢＣＨの他の独立に復号化可能なブロックを順次、後続する７つのフレームの第２のサブフレーム及び第７のサブフレームにマッピングすることができる。また、ＰＳＳ及びＳＳＳのうち一方を該フレームの第１のサブフレームにマッピングし、さらに、ＰＳＳ及びＳＳＳのうち他方を該フレームの第６のサブフレームにマッピングすることができる。
【００４５】
図５は、報知チャネルをマッピングする上記第３の例示を示す。該例示において、ＰＢＣＨは１６個の独立に復号化可能なブロックに分けられ、１番目の独立に復号化可能なブロックはフレームの第２のサブフレーム上にマッピングされ、２番目の独立に復号化可能なブロックは該フレームの第７のサブフレーム上にマッピングされ、他の独立に復号化可能なブロックは、それぞれ後続する７つのフレームの第２及び第７のサブフレーム上にマッピングされる。また、ＳＳＳはフレームの第１のサブフレーム上にマッピングされ、ＰＳＳはフレームの第６のサブフレーム上にマッピングされる。
【００４６】
以下、図６を参照しながら本発明実施例に係る基地局を説明する。該基地局は、図２−５を参照して説明した上記報知チャネルをマッピングする方法を実行できる。
図６に示すように、基地局１０は、分割部１１とチャネルマッピング部１２を備える。注意すべきは、図６は、基地局１０における本開示の実施例と密接に関わる部品のみを示しており、しかも例示的なものであり、必要に応じて、基地局１０はその他の部品を備えてもよい。
【００４７】
分割部１１は、第１の報知チャネルを少なくとも第１部分及び第２部分に分割してもよい。具体的には、分割部１１は、前記第１の報知チャネルの第１部分は多くても六つ以下のＯＦＤＭシンボルにマッピングされ、さらに、前記第１の報知チャネルの第２部分も多くても六つ以下のＯＦＤＭシンボルにマッピングされるように、第１の報知チャネルを分割することができる。
【００４８】
チャネルマッピング部１２は、分割部１１の出力、即ち第１の報知チャネルの第１部分及び第２部分を受信することができる。その後、チャネルマッピング部１２は、第１の報知チャネルの第１部分を、該ＴＤＤモードの上りリンク−下りリンク設定を有するフレームに含まれる複数のサブフレームのうちの第２のサブフレーム上にマッピングし、さらに、第１の報知チャネルの第２部分を前記複数のサブフレームのうちの第７のサブフレーム上にマッピングすることができる。ここで、前記第２のサブフレームはスペシャルサブフレームであり、前記第７のサブフレームはスペシャルサブフレームまたは下りリンクサブフレームである。前記ＴＤＤモードの上りリンク−下りリンク設定は、例えば、表１に示される。
【００４９】
具体的には、上述したように、前記フレームは上りリンク−下りリンク設定０−６のうち一つの配置を有すると、チャネルマッピング部１２は、第１の報知チャネルの第１部分を第２のサブフレーム上にマッピングすることができる。また、前記フレームは上りリンク−下りリンク設定３−５のうち一つの配置を有すると、チャネルマッピング部１２は、第１の報知チャネルの第２部分を該第７のサブフレームにマッピングすることができる。前記フレームは、上りリンク−下りリンク設定０、１、２、６のうち一つの配置を有すると、チャネルマッピング部１２は、第７のサブフレームを、表２に示す配置１−４及び６−８のうち一つの配置を有するよう設定することができ、さらに、第１の報知チャネルの第２部分を該フレームの第７のサブフレームにマッピングすることができる。
【００５０】
第１の報知チャネルをマッピングする他、チャネルマッピング部１２は、さらに、第２の報知チャネル及び第３の報知チャネルを、それぞれ前記フレームに含まれる複数のサブフレームのうちの第１のサブフレーム及び第６のサブフレーム上にマッピングしてもよい。
【００５１】
以下、具体的な例示で、上記本発明実施例に係る基地局を説明する。
第１の報知チャネルはＰＳＳであり、第２の報知チャネル及び前記第３の報知チャネルはそれぞれＳＳＳ及びＰＢＣＨの中の一つである上記第１の例示において、分割部１１は、ＰＳＳ系列を二つの部分に分けることができる。チャネルマッピング部１２は、ＰＳＳ系列の第１部分を、例えば、表１に示すそれぞれの上りリンク−下りリンク設定のうち一つの配置を有するフレームに含まれる１０個のサブフレームのうちの第２のサブフレーム上にマッピングし、さらに、ＰＳＳ系列の第２部分を該フレームに含まれる１０個のサブフレームのうちの第７のサブフレーム上にマッピングすることができる。また、チャネルマッピング部１２は、ＳＳＳ及びＰＢＣＨのうち一方を該フレームの第１のサブフレームにマッピングし、さらに、ＳＳＳ及びＰＢＣＨのうち他方を該フレームに含まれる１０個のサブフレームのうちの第６のサブフレームにマッピングすることができる。ＰＢＣＨをマッピングする際に、例えば、該ＰＢＣＨを第６のサブフレームにマッピングする場合、チャネルマッピング部１２は、該ＰＢＣＨの一つの独立に復号化可能なブロックを該フレームの第６のサブフレームにマッピングし、さらに、該ＰＢＣＨの残りの７つの独立に復号化可能なブロックを順次、前記フレームの後続する７つのフレームの第６のサブフレームにマッピングすることができる。
【００５２】
前記第１の報知チャネルはＳＳＳであり、前記第２の報知チャネル及び前記第３の報知チャネルはそれぞれＰＳＳ及びＰＢＣＨの中の一つである上述第２の例示において、分割部１１は、ＳＳＳ系列を二つの部分に分けることができる。チャネルマッピング部１２は、ＳＳＳ系列の第１部分を、例えば、表１に示す各上りリンク−下りリンク設定のうち一つの配置を有するフレームに含まれる１０個のサブフレームのうちの第２のサブフレーム上にマッピングし、さらに、ＳＳＳ系列の第２部分を該フレームの第６のサブフレーム上にマッピングすることができる。また、チャネルマッピング部１２は、ＰＳＳ及びＰＢＣＨのうち一方を該フレームの第１のサブフレームにマッピングし、さらに、ＰＳＳ及びＰＢＣＨのうち他方を該フレームの第６のサブフレームにマッピングすることができる。ＰＢＣＨをマッピングする際に、例えば、該ＰＢＣＨを第６のサブフレームにマッピングする場合、チャネルマッピング部１２は、該ＰＢＣＨの一つの独立に復号化可能なブロックを該フレームの第６のサブフレームにマッピングし、該ＰＢＣＨの残りの７つの独立に復号化可能なブロックを順次、後続する７つのフレームの第６のサブフレームにマッピングすることができる。
【００５３】
前記第１の報知チャネルはＰＢＣＨであり、前記第２の報知チャネル及び前記第３の報知チャネルはそれぞれＰＳＳ及びＳＳＳの中の一つである上記第３の例示において、分割部１１は、ＰＢＣＨを１６個の独立に復号化可能なブロックに分割することができる。チャネルマッピング部１２は、ＰＢＣＨの１番目の独立に復号化可能なブロックを第１部分として、例えば、表１に示すそれぞれの上りリンク−下りリンク設定のうち一つの配置を有するフレームに含まれる１０個のサブフレームのうちの第２のサブフレーム上にマッピングし、さらに、ＰＢＣＨの２番目の独立に復号化可能なブロックを第２部分として前記フレームに含まれる１０個のサブフレームのうちの第７のサブフレーム上にマッピングすることができる。ＰＢＣＨの他の独立に復号化可能なブロックについて、チャネルマッピング部１２は、それを順次前記フレームに後続する７つのフレームの第１のサブフレーム及び第６のサブフレームにマッピングすることができる。また、チャネルマッピング部１２は、ＰＳＳ及びＳＳＳのうち一方を前記フレームの第１のサブフレーム上にマッピングし、さらに、ＰＳＳ及びＳＳＳのうち他方を前記フレームの第６のサブフレーム上にマッピングすることができる。
【００５４】
このように、ＴＤＤモードのＮＢ−ＩｏＴシステムにおいて、ＦＤＤモードと同じ信号系列設計を流用することができる。上りリンク−下りリンク設定のスペシャルサブフレームを利用して下りリンクの報知チャネルをマッピングすることにより、ＴＤＤモードのＮＢ−ＩｏＴシステムの上りリンク−下りリンク設定を変更することなく、三種類の報知チャネルのユーザ装置への送信を実現できる。
【００５５】
以下、図７を参照しながら本発明実施例に係る報知チャネルを検出する方法を説明する。該方法は、ＴＤＤモードのＮＢ−ＩｏＴシステムに適用されることができ、さらに、図２を参照して説明した報知チャネルをマッピングする方法と対応する。ここで、図２を参照して説明した報知チャネルをマッピングする方法と一致するために、前記報知チャネルを第１の報知チャネルと称する。
【００５６】
図７に示すように、ステップＳ７０１では、該ＴＤＤモードの上りリンク−下りリンク設定を有する少なくとも一つのフレームに含まれる複数のサブフレームを受信する。当該分野の周知の方式を使用して前記少なくとも一つのフレームを受信することができるため、ここではその説明を省略する。
【００５７】
次に、ステップＳ７０２では、前記複数のサブフレームのうちの第２のサブフレーム及び第７のサブフレームの少なくとも一つに基づき、第１の報知チャネルを検出することができる。
【００５８】
第１の報知チャネルを検出する他、前記複数のサブフレームのうちの第１のサブフレームに基づき、第２の報知チャネルを検出し、さらに、前記複数のサブフレームのうちの第６のサブフレームに基づき、第３の報知チャネルを検出する。
【００５９】
以下、具体的な例示で、本開示実施例に係る報知チャネルを検出する方法を説明する。
第１の例示において、前記第１の報知チャネルはＰＳＳであってもよい。前記第２の報知チャネル及び前記第３の報知チャネルは、それぞれＳＳＳ及びＰＢＣＨの中の一つである。説明の便宜上、第２の報知チャネルはＳＳＳであり、第３の報知チャネルはＰＢＣＨであると想定する。該例示において、前記第２のサブフレーム及び第７のサブフレーム内にマッピングされたデータを組合せて、組合せデータ系列を生成する。その後、該組合せデータ系列に基づき、ＰＳＳを検出する。本例示において、当該分野の周知の方法を使用して、組合せデータ系列に基づき、ＰＳＳを検出することができる。具体的には、ブラインド復号化の方法を使用して該組合せデータ系列に対して復号化することにより、ＰＳＳを検出することができる。例えば、該組合せデータに許容されるローカルシーケンス（ｌｏｃａｌ  ｓｅｑｕｅｎｃｅ）との滑り相関性（ｓｌｉｐｐａｇｅ  ｃｏｒｒｅｌａｔｉｏｎ）を計算してもよいし、相関性のピークの位置はＰＳＳの位置となる。その後、前記第１のサブフレームに基づき、ＳＳＳを検出し、さらに、前記第６のサブフレームに基づき、ＰＢＣＨを検出する。
【００６０】
本例示において、当該分野で周知の方法を使用してＳＳＳ及びＰＢＣＨを検出することができるため、ここではその説明を省略する。留意すべきは、本例示において、前記第６のサブフレームに基づきＰＢＣＨが検出されていない場合、現在フレームの第６のサブフレームと後続する一つまたは複数のフレームの第６のサブフレーム内にマッピングされたデータ（独立に復号化可能なブロック）を組合せ、組合せ後のデータ（組合せ後の独立に復号化可能なブロック）に基づき、ＰＢＣＨを検出することができる。
【００６１】
第２の例示において、前記第１の報知チャネルは、ＳＳＳであってもよい。前記第２の報知チャネル及び前記第３の報知チャネルは、それぞれＰＳＳ及びＰＢＣＨの中の一つである。説明の便宜上、第２の報知チャネルはＰＳＳであり、第３の報知チャネルはＰＢＣＨであると想定する。該例示では、まず、前記第１のサブフレームに基づきＰＳＳを検出することができる。その後、前記第２のサブフレーム及び第７のサブフレーム内にマッピングされたデータを組合せて、組合せデータ系列を生成する。その後、該組合せデータ系列に基づき、ＳＳＳを検出する。
【００６２】
本例示では、当該分野の周知の方法を使用して、該組合せデータ系列に基づき、ＳＳＳを検出することができる。その後、前記第６のサブフレームに基づき、ＰＢＣＨを検出することができる。本例示では、当該分野の周知の方法を使用してＰＳＳ及びＰＢＣＨを検出することができるため、ここではその説明を省略する。留意すべきは、本例示では、前記第６のサブフレームに基づきＰＢＣＨが検出されていない場合、現在のフレームの第６のサブフレームと後続する一つまたは複数のフレームの第６のサブフレーム内にマッピングされたデータ（独立に復号化可能なブロック）を組合せて、組合せ後のデータ（組合せ後の独立に復号化可能なブロック）に基づき、ＰＢＣＨを検出することができる。
【００６３】
第３の例示では、前記第１の報知チャネルは、ＰＢＣＨであってもよい。前記第２の報知チャネル及び前記第３の報知チャネルは、それぞれＰＳＳ及びＰＢＣＨの中の一つである。説明の便宜上、第２の報知チャネルはＰＳＳであり、第３の報知チャネルはＳＳＳであると想定する。該例示では、まず、前記第１のサブフレームに基づき、ＰＳＳを検出することができる。その後、前記第６のサブフレームに基づき、ＳＳＳを検出することができる。本例示では、当該分野の周知の方法を使用してＰＳＳ及びＳＳＳを検出することができるため、ここではその説明を省略する。その後、前記ＰＢＣＨを検出することができる。
【００６４】
上述したように、該例示では、前記第２のサブフレーム及び前記第７のサブフレーム内にマッピングされたデータは、それぞれＰＢＣＨの独立に復号化可能なブロックである。従って、前記第２のサブフレーム内にマッピングされたデータ（独立に復号化可能なブロック）に基づき、該ＰＢＣＨを検出することができる。第２のサブフレーム内にマッピングされたデータに対する復号化が成功すれば、該ＰＢＣＨを検出することができる。また、第２のサブフレーム内にマッピングされたデータに対する復号化が失敗すれば、第２のサブフレーム及び第７のサブフレーム内にマッピングされたデータ（独立に復号化可能なブロック）に基づき、該ＰＢＣＨを検出することができる。第２のサブフレーム及び第７のサブフレーム内にマッピングされたデータに対する復号化が成功すれば、ＰＢＣＨを検出することができる。また、該復号化が失敗すれば、現在フレームの第２のサブフレーム及び第７のサブフレーム内にマッピングされたデータ、及び後続する一つまたは複数のフレームの第２及び／又は第７のサブフレーム内にマッピングされたデータの中の一つまたは複数（最大１６個のサブフレーム内にマッピングされたデータを組合せて）に基づき、ＰＢＣＨを検出することができる。
【００６５】
上述方法により、スペシャルサブフレーム内にマッピングされる第１チャネルを成功に復号化することができる。
【００６６】
以下、図８を参照しながら、本開示実施例に係るＴＤＤモードのユーザ装置を説明する。
図８に示すように、ユーザ装置２０は、受信部２１及び検出部２２を備える。留意すべきは、図８は、ユーザ装置２０における本開示の実施例と密接に関わる部品のみを示しており、これは例示的なものに過ぎず、必要に応じて、ユーザ装置２０は、その他部品を備えてもよいことである。
【００６７】
受信部２１は、該ＴＤＤモードの上りリンク−下りリンク設定を有する少なくとも一つのフレームに含まれる複数のサブフレームを受信することができる。
【００６８】
検出部２２は、前記複数のサブフレームのうちの第２のサブフレーム及び第７のサブフレームの少なくとも一つに基づき、第１の報知チャネルを検出することができる。第１の報知チャネルを検出する他、検出部２２は、さらに、前記複数のサブフレームのうちの第１のサブフレームに基づき、第２の報知チャネルを検出し、さらに、前記複数のサブフレームのうちの第６のサブフレームに基づき、第３の報知チャネルを検出する。
【００６９】
以下、具体的な例示を参照して検出部２２の操作を説明する。
第１の例示では、前記第１の報知チャネルは、ＰＳＳであってもよい。前記第２の報知チャネル及び前記第３の報知チャネルは、それぞれＳＳＳ及びＰＢＣＨの中の一つである。説明の便宜上、第２の報知チャネルはＳＳＳであり、第３の報知チャネルはＰＢＣＨであると想定する。該例示では、検出部２２は、前記第２のサブフレーム及び第７のサブフレーム内にマッピングされたデータを組合せて、組合せデータ系列を生成する。その後、検出部２２は、該組合せデータ系列に基づき、ＰＳＳを検出する。その後、検出部２２は、前記第１のサブフレームに基づき、ＳＳＳを検出し、さらに、前記第６のサブフレームに基づき、ＰＢＣＨを検出することができる。留意すべきは、本例示では、前記第６のサブフレームに基づき、ＰＢＣＨを検出できない場合、検出部２２は、現在フレームの第６のサブフレームと後続する一つまたは複数のフレームの第６のサブフレーム内にマッピングされたデータ（独立に復号化可能なブロック）を組合せて、組合せ後のデータ（組合せ後の独立に復号化可能なブロック）に基づき、ＰＢＣＨを検出することができる。
【００７０】
第２の例示では、前記第１の報知チャネルは、ＳＳＳであってもよい。前記第２の報知チャネル及び前記第３の報知チャネルは、それぞれＰＳＳ及びＰＢＣＨの中の一つである。説明の便宜上、第２の報知チャネルはＰＳＳであり、第３の報知チャネルはＰＢＣＨであると想定する。該例示では、まず、検出部２２は、前記第１のサブフレームに基づき、ＰＳＳを検出することができる。その後、検出部２２は、前記第２のサブフレーム及び第７のサブフレーム内にマッピングされたデータを組合せて、組合せデータ系列を生成する。その後、検出部２２は、該組合せデータ系列に基づき、ＳＳＳを検出する。その後、検出部２２は、前記第６のサブフレームに基づき、ＰＢＣＨを検出することができる。留意すべきは、本例示では、前記第６のサブフレームに基づき、ＰＢＣＨを検出できない場合、検出部２２は、現在フレームの第６のサブフレームと後続する一つまたは複数のフレームの第６のサブフレーム内にマッピングされたデータ（独立に復号化可能なブロック）を組合せて、組合せ後のデータ（組合せ後の独立に復号化可能なブロック）に基づき、ＰＢＣＨを検出することができる。
【００７１】
第３の例示では、前記第１の報知チャネルは、ＰＢＣＨであってもよい。前記第２の報知チャネル及び前記第３の報知チャネルは、それぞれＰＳＳ及びＰＢＣＨの中の一つである。説明の便宜上、第２の報知チャネルはＰＳＳであり、第３の報知チャネルはＳＳＳであると想定する。該例示では、まず、検出部２２は、前記第１のサブフレームに基づき、ＰＳＳを検出することができる。その後、検出部２２は、前記第６のサブフレームに基づき、ＳＳＳを検出することができる。その後、検出部２２は、前記ＰＢＣＨを検出することができる。
【００７２】
上述したように、該例示では、前記第２のサブフレーム及び前記第７のサブフレーム内にマッピングされたデータは、それぞれＰＢＣＨの独立に復号化可能なブロックである。従って、検出部２２は、前記第２のサブフレーム内にマッピングされたデータ（独立に復号化可能なブロック）に基づき、該ＰＢＣＨを検出することができる。第２のサブフレーム内にマッピングされたデータに対する復号化が成功すれば、該ＰＢＣＨを検出することができる。また、第２のサブフレーム内にマッピングされたデータに対する復号化が失敗すれば、検出部２２は、第２のサブフレーム及び第７のサブフレーム内にマッピングされたデータ（独立に復号化可能なブロック）に基づき、該ＰＢＣＨを検出することができる。第２のサブフレーム及び第７のサブフレーム内にマッピングされたデータに対する復号化が成功すれば、ＰＢＣＨを検出することができる。また、該復号化が失敗すれば、検出部２２は、現在フレームの第２のサブフレーム及び第７のサブフレーム内にマッピングされたデータ、及び後続する一つまたは複数のフレームの第２及び／又は第７のサブフレーム内にマッピングされたデータの中の一つまたは複数（最大１６個サブフレーム内にマッピングされたデータを組合せて）に基づき、ＰＢＣＨを検出することができる。
【００７３】
本開示実施例に係る上述方法を利用すれば、ＴＤＤモードのＮＢ−ＩｏＴシステムにおいて、報知チャネルＰＳＳ、ＳＳＳ及びＰＢＣＨについて、ＦＤＤモードのＮＢ−ＩｏＴシステムと同じ信号系列設計を流用することができ、さらに、それを下りリンクサブフレーム又はスペシャルサブフレームにマッピングし、よってユーザ装置に送信する。言い換えると、上りリンク−下りリンク設定におけるスペシャルサブフレームを柔軟に適用することにより、ＴＤＤモードのＮＢ−ＩｏＴシステムにおける上りリンク−下りリンク設定及びスペシャルサブフレーム配置を変更することなく、ＮＢ−ＩｏＴシステムにおいて三種類の報知チャネルのマッピングを実現できる。
【００７４】
本明細書において、「備える」、「含む」、およびそれらのいかなる変形は、非排他的であることが意図され、よって一連の要素を含む手順、方法、物品または機器は、それらの要素だけではなく、明確に示されないその他要素も含む、或いは、これらの手順、方法、物品または機器に固有される要素をさらに含む。さらなる制限がない限り、文言「……を備える」によって制限される要素は、前記要素を含む手順、方法、物品または機器にはそれ以外の同じ要素を備えることを除外しない。
【００７５】
最後に、上記一連の処理は、ここで述べた順番で時間系列で実行される処理だけではなく、時間系列ではなく並行でまたは別々に実行される処理も含む。
【００７６】
上記の実施形態の説明から、当業者は、本開示が、ソフトウェアと必要なハードウェアプラットフォームとによって実施され得ることを明らかに理解することができ、もちろん、すべてがハードウェアによって実施されてもよい。このような理解に基づき、背景技術に寄与する本開示の技術案の全てまたは一部をコンピュータソフトウェア製品として実現することができる。該コンピュータソフトウェア製品は、ＲＯＭ／ＲＡＭ、磁気ディスク、光ディスクなどの記憶媒体に格納し、コンピュータ装置（パーソナルコンピュータ、サーバ、またはネットワーク装置などであり得る）に、本開示のそれぞれの実施形態または実施形態のある部分に記載された方法を実行させるための多数の命令が含まれる。
【００７７】
以上、本発明を詳細に説明した。特定の実施例を参照して本発明の原理および実施形態を説明したが、以上で説明した実施例の説明は、本発明の方法および要旨の理解に役立つためのものである。当業者にとっては、本開示の思想に従って、具体的な実施形態および適用範囲においては変更され得る。以上により、本明細書の内容は、本開示を限定するものと解釈されるべきではない。
【図１】
2019525623.tif 000005
【図２】
2019525623.tif 000006
【図３】
2019525623.tif 000007
【図４】
2019525623.tif 000008
【図５】
2019525623.tif 000009
【図６】
2019525623.tif 000010
【図７】
2019525623.tif 000011
【図８】
2019525623.tif 000012
【国際調査報告】
2019525623.tif 000013
2019525623.tif 000014
2019525623.tif 000015
2019525623.tif 000016